(57)【要約】【課題】例えば天然芝が敷設されたゴルフ場、野球場、サッカー場等の植生面に一時的に設置される機器の支持脚から受ける荷重によって植生面が損傷するのを防止する手段を提供する。【解決手段】植生面損傷防止具16は、植生面設置機器に備えられた支持脚5の下端部に取り付けられる取付基部17と、取付基部17に下方突出状に取り付けられ、尖った先端部180を有しており、かつ植生面GLに差し込まれる差込ピン18とを備えている。【選択図】図４
2018183120.tif 000002
【特許請求の範囲】
【請求項１】
植生面設置機器に備えられた支持脚の下端部に取り付けられる取付基体と、取付基体に下方突出状に取り付けられ、尖った先端部を有しており、かつ植生面に差し込まれる少なくとも１つの差込ピンとを備えている、植生面設置機器の荷重による植生面損傷防止具。
【請求項２】
差込ピンが、１本の垂線において互いに交差する２つ以上の垂直壁部を有しており、各垂直壁部の先端縁が、前記垂線から斜め上方にのびる傾斜縁となされている、請求項１記載の植生面設置機器の荷重による植生面損傷防止具。
【請求項３】
差込ピンの各垂直壁部の先端縁の傾斜角度が４５°以下である、請求項２記載の植生面設置機器の荷重による植生面損傷防止具。
【請求項４】
差込ピンがＬ形またはＶ形の横断面を有しており、２つの垂直壁部の先端縁が直線状である、請求項２または３記載の植生面設置機器の荷重による植生面損傷防止具。
【請求項５】
差込ピンの横断面の外接円が、支持脚の下端部の横断面の外形輪郭よりも小さいものであって、支持脚の下端部の長さ方向より見て同外形輪郭の内側に配置されている、請求項２〜４のいずれか１つに記載の植生面設置機器の荷重による植生面損傷防止具。
【請求項６】
支持脚の筒状の下端部に嵌め入れられる取付基体に、上下両面に開口した垂直な差込ピン挿通孔が形成されているとともに、差込ピン挿通孔に挿通された差込ピンを任意の長さ位置で取付基体に解除可能に固定しうる固定手段が設けられており、それによって差込ピンの下方突出長さが可変となされている、請求項１〜５のいずれか１つに記載の植生面設置機器の荷重による植生面損傷防止具。
【請求項７】
さらに、差込ピンを植生面に差し込む際に踏み付け荷重を加えるためのステップが、取付基体と一体に設けられている、請求項１〜６のいずれか１つに記載の植生面設置機器の荷重による植生面損傷防止具。
【請求項８】
ステップにペグ挿通孔が形成されている、請求項７記載の植生面設置機器の荷重による植生面損傷防止具。
【請求項９】
３本以上の支持脚を備えており、各支持脚の下端部に、請求項１〜８のいずれか１つに記載の植生面損傷防止具の取付基体が取り付けられている、植生面設置機器。
【発明の詳細な説明】
【技術分野】
【０００１】
この発明は、芝生面などの植生面の上に一時的に設置される植生面設置機器において、同機器の支持脚から受ける荷重により植生面が損傷するのを防止するために用いられる植生面損傷防止具に関する。
また、この発明は、上記の植生面損傷防止具を備えた植生面設置機器に関する。
【背景技術】
【０００２】
例えばゴルフ場、野球場、サッカー場のような天然芝が敷設されたグランドにおいて、天然芝の状態を良好に維持するために用いられる天然芝育成用照明装置、散水装置等の天然芝管理機器、あるいは、フラッグポール、ゴール等の運動用具を、芝生面の上に設置して一定時間留め置く場合がある。
【０００３】
上記のような天然芝管理機器や運動用具等の芝生面設置機器には、複数の支持脚を備えたものがあるが、その場合、機器の荷重が支持脚の下端に集中するため、それによって芝生面の損傷が発生し、芝生面で行われる競技等に支障を及ぼすおそれがあった。
【０００４】
植生面を保護するための手段としては、例えば下記の特許文献１〜３に開示されているように、植生面の上に保護マットを敷設するものが提案されている。
【先行技術文献】
【特許文献】
【０００５】
【特許文献１】特許第５４０１７４６号公報
【特許文献２】特許第４８８６８９２号公報
【特許文献３】特開２００５−１１７９３６号公報
【発明の概要】
【発明が解決しようとする課題】
【０００６】
しかしながら、上述した保護マットは、植生面のうち人や車が移動する動線上に恒久的に設置されるものであり、植生面の上で競技が行われるゴルフ場、野球場、サッカー場等のグランドにおいては、保護マットが競技の邪魔になるため、適用することができなかった。
【０００７】
この発明の目的は、上記の課題に鑑みて考案されたものであって、例えば天然芝が敷設されたゴルフ場、野球場、サッカー場等の植生面の上に一時的に設置される機器の支持脚から受ける荷重によって植生面が損傷するのを防止する手段を提供することにある。
【課題を解決するための手段】
【０００８】
この発明は、上記の目的を達成するために、以下の態様からなる。
【０００９】
１）植生面設置機器に備えられた支持脚の下端部に取り付けられる取付基体と、取付基体に下方突出状に取り付けられ、尖った先端部を有しており、かつ植生面に差し込まれる少なくとも１つの差込ピンとを備えている、植生面設置機器の荷重による植生面損傷防止具。
【００１０】
２）差込ピンが、１本の垂線において互いに交差する２つ以上の垂直壁部を有しており、各垂直壁部の先端縁が、前記垂線から斜め上方にのびる傾斜縁となされている、上記１）の植生面設置機器の荷重による植生面損傷防止具。
【００１１】
３）差込ピンの各垂直壁部の先端縁の傾斜角度が４５°以下である、上記２）の植生面設置機器の荷重による植生面損傷防止具。
【００１２】
４）差込ピンがＬ形またはＶ形の横断面を有しており、２つの垂直壁部の先端縁が直線状である、上記２）または３）の植生面設置機器の荷重による植生面損傷防止具。
【００１３】
５）差込ピンの横断面の外接円が、支持脚の下端部の横断面の外形輪郭よりも小さいものであって、支持脚の下端部の長さ方向より見て同外形輪郭の内側に配置されている、上記２）〜４）のいずれか１つの植生面設置機器の荷重による植生面損傷防止具。
【００１４】
６）支持脚の筒状の下端部に嵌め入れられる取付基体に、上下両面に開口した垂直な差込ピン挿通孔が形成されているとともに、差込ピン挿通孔に挿通された差込ピンを任意の長さ位置で取付基体に解除可能に固定しうる固定手段が設けられており、それによって差込ピンの下方突出長さが可変となされている、上記１）〜５）のいずれか１つの植生面設置機器の荷重による植生面損傷防止具。
【００１５】
７）さらに、差込ピンを植生面に差し込む際に踏み付け荷重を加えるためのステップが、取付基体と一体に設けられている、上記１）〜６）のいずれか１つの植生面設置機器の荷重による植生面損傷防止具。
【００１６】
８）ステップにペグ挿通孔が形成されている、上記７）の植生面設置機器の荷重による植生面損傷防止具。
【００１７】
９）３本以上の支持脚を備えており、各支持脚の下端部に、上記１）〜８）のいずれか１つの植生面損傷防止具の取付基体が取り付けられている、植生面設置機器。
【発明の効果】
【００１８】
上記１）の植生面損傷防止具にあっては、その取付基体が植生面設置機器における支持脚の下端部に取り付けられた状態で、植生面設置機器を植生面の上に一時的に設置することにより、植生面に差込ピンが差し込まれ、同機器の荷重が、支持脚の下端部ではなく、先端部の尖った差込ピンを通して植生面に伝わる。したがって、上記１）の植生面損傷防止具によれば、植生面設置機器の支持脚からの荷重による植生面の損傷を効果的に防止することができる。
【００１９】
上記２）の植生面損傷防止具によれば、差込ピンに要求される強度を確保しながら、差込ピンの植生面への差込時および引抜時の抵抗を小さくして、植生面に与えるダメージを軽減することができる。
【００２０】
上記３）の植生面損傷防止具によれば、差込ピンの植生面への差込時の抵抗が小さくなり、差込作業が容易となる。
【００２１】
上記４）の植生面損傷防止具によれば、差込ピンの製造加工が容易であり、コストが抑えられる。
【００２２】
上記５）の植生面損傷防止具によれば、差込ピンを植生面に差し込むための力が植生面設置機器の支持脚を介して差込ピンに伝わりやすいため、差込作業を容易に行うことができる。
【００２３】
上記６）の植生面損傷防止具によれば、植生面設置機器を設置する植生面の状態等に応じて、差込ピンの下方突出長さを任意に変更することができるので、使い勝手が良い。
【００２４】
上記７）の植生面損傷防止具によれば、ステップを利用して踏み付け荷重を加えることにより、差込ピンを植生面に差し込む作業をより楽に行うことができる。
【００２５】
上記８）の植生面損傷防止具によれば、ペグを、ステップに設けられたペグ挿通孔に挿通させてから、植生面に打ち込むことにより、天然芝設置機器をより安定的に植生面に設置することができるので、例えば悪天候時の安全対策等の面で有利である。
【００２６】
上記９）の植生面設置機器によれば、３本以上の支持脚を備えているので、植生面の上に一時的に設置した際に、設置状態を安定させることができ、また、同機器の荷重が各支持脚に分散される上、各支持脚の下端部に備えられた植生面損傷防止具の差込ピンが植生面に差し込まれるので、支持脚からの荷重による植生面の損傷を効果的に防止することができる。
【図面の簡単な説明】
【００２７】
【図１】この発明の第１の実施形態に係る天然芝育成用照明装置を示すものであって、フレームを開いた状態の正面図である。
【図２】同平面図である。
【図３】同照明装置のフレームを閉じた状態の平面図である。
【図４】同照明装置の支持脚の下端部を詳細に示すものであって、（ａ）は部分拡大正面図、（ｂ）は水平断面図である。
【図５】同支持脚の下端部に設けられた芝生面損傷防止具を示すものであって、（ａ）は正面図、（ｂ）は側面図、（ｃ）は平面図、（ｄ）は底面図である。
【図６】この発明の第２の実施形態に係る天然芝育成用照明装置を示すものであって、フレームを開いた状態の正面図である。
【図７】同照明装置の支持脚の下端部を詳細に示すものであって、（ａ）は部分拡大正面図、（ｂ）は（ａ）のＢ−Ｂ線に沿う断面図である。
【図８】同支持脚の下端部に設けられた芝生面損傷防止具の差込ピンを示すものであって、（ａ）は正面図、（ｂ）は側面図、（ｃ）は平面図である。
【図９】同芝生面損傷防止具の取付基体およびステップを示すものであって、（ａ）は正面図、（ｂ）は平面図である。
【図１０】実施例１〜５の芝生面損傷防止具を示すものであって、上段は正面図、下段は横断面図である。
【図１１】実施例６〜１７の芝生面損傷防止具の比較検証を行うために使用した基準サンプルの芝生面損傷防止具を示すものであって、（ａ）は正面図、（ｂ）（ｃ）は芝生面に差し込む際の差込ピンの横断面の変移を示す図である。
【図１２】実施例６〜１１の芝生面損傷防止具を示すものであって、上段は正面図、下段は芝生面に差し込む際の差込ピンの横断面の変移を示す図である。
【図１３】実施例１２〜１４の芝生面損傷防止具を示すものであって、上段は正面図、下段は芝生面に差し込む際の差込ピンの横断面の変移を示す図である。
【図１４】実施例１５〜１７の芝生面損傷防止具を示すものであって、上段は正面図、下段は芝生面に差し込む際の差込ピンの横断面の変移を示す図である。
【発明を実施するための形態】
【００２８】
以下、この発明の実施形態を、図面を参照して説明する。
以下の説明において、「アルミニウム」という用語には、純アルミニウムの他にアルミニウム合金を含むものとする。また、以下の説明において、図１〜図４、図６、図７の左右を左右というものとする。
【００２９】
＜第１の実施形態＞
図１〜図３は、この発明の第１の実施形態に係る天然芝育成用照明装置の全体構成を示しており、図４は同装置における支持脚の下端部の詳細を示しており、図５は支持脚の下端部に設けられた芝生面損傷防止具を示している。
【００３０】
図１〜図３において、天然芝育成用照明装置(1)は、上下に並んだ２つのフレーム部材(3)(4)からなる開閉自在のフレーム(2)と、フレーム(2)を支持する支持脚(5)と、フレーム(2)に取り付けられた灯具取付部材(6)と、灯具取付部材(6)に取り付けられかつ一定の長さおよび幅を有するＬＥＤ灯具(7)とを備えている。
【００３１】
フレーム(2)の上下両フレーム部材(3)(4)は、アルミニウム製基部(8)(9)および基部(8)(9)から互いに反対の方向に突出するように設けられた２本のアルミニウム製アーム(11A)(11B)(12A)(12B)からなる。フレーム(2)は、上下両フレーム部材(3)(4)が、基部(8)(9)が重なるように上下に並んで配置されるとともに、基部(8)(9)において同一鉛直軸線(O)の周りに回転自在に連結されることにより構成されている。
上下両フレーム部材(3)(4)の基部(8)(9)は、中心軸線が前記鉛直軸線(O)上に位置しかつ同一外径を有するともに上下両端が閉鎖された円筒状である。上フレーム部材(3)の基部(8)は、下フレーム部材(4)の基部(9)上に載せられている。両フレーム部材(3)(4)のアーム(11A)(11B)(12A)(12B)は角筒状であって、すべてのアーム(11A)(11B)(12A)(12B)の長さは等しくなっている。アーム(11A)(11B)(12A)(12B)は、基部(8)(9)の外周面における前記鉛直軸線(O)から偏心した部分に、前記鉛直軸線(O)を中心として基部(8)(9)から反対の方向に突出するように固定されている。上下両フレーム部材(3)(4)における前記鉛直軸線(O)の片側(左側)に位置する第１アーム(11A)(12A)と、同他側(右側)に位置する第２アーム(11B)(12B)とは、前記鉛直軸線(O)に対して異なる方向に偏心した位置にあり、各フレーム部材(3)(4)の両アーム(11A)(11B)(12A)(12B)は、幅方向の中心線が、基部(8)(9)の外周面における１つの直径上に位置する２つの接線と平行になるとともに、幅方向の一方の側縁部が、基部(8)(9)の外周面における前記接線上に位置するように基部(8)(9)の外周面に固定されている。
フレーム(2)は、両フレーム部材(3)(4)の第１アーム(11A)(12A)の先端どうしおよび第２アーム(11B)(12B)の先端どうしが最も離隔する開状態（図２参照）と、両フレーム部材(3)(4)の第１アーム(11A)(12A)の先端どうしおよび第２アーム(11B)(12B)の先端どうしが最も近接する閉状態(図３参照)との間で開閉するようになっている。フレーム(2)の開状態においては、上フレーム部材(3)の第１アーム(11A)と下フレーム部材(4)の両アーム(12A)(12B)、および上フレーム部材(3)の第２アーム(11B)と下フレーム部材(4)の両アーム(12A)(12B)とが平面から見て直角をなしている（図２参照）。フレーム(2)の閉状態においては、上フレーム部材(3)の第１アーム(11A)と下フレーム部材(4)の第２アーム(12B)、および上フレーム部材(3)の第２アーム(11B)と下フレーム部材(4)の第１アーム(12A)とが、平面から見て左右方向に延びる一直線上に位置している（図３参照）。
【００３２】
支持脚(5)は、アルミニウム製の垂直円筒状のものであって、平面から見て前記鉛直軸線(O)を中心とする１つの円周上に位置するように、両フレーム部材(3)(4)の２本のアーム(11A)(11B)(12A)(12B)の先端寄りの部分にそれぞれ設けられている。支持脚(5)の下端部には、天然芝育成用照明装置(1)の荷重による芝生面(GL)の損傷を防止するための芝生面損傷防止具(16)が設けられている。
【００３３】
灯具取付部材(6)は、アルミニウム製であって、一定の長さおよび幅を有する水平壁(6a)と、水平壁(6a)の幅方向の中央部の下面に一体に設けられた垂直壁(6b)とよりなる。灯具取付部材(6)の水平壁(6a)上に、下フレーム部材(4)の基部(9)が、合成樹脂製滑りシート（図示略）を介して載せられている。
【００３４】
ＬＥＤ灯具(7)は、下方に開口した横断面略逆Ｕ字状ケース本体(13a)およびケース本体(13a)に上方突出状に一体に設けられた垂直状ブラケット(13b)よりなるケース(13)と、ケース本体(13a)内に配置された光照射部（図示略）とを有している。光照射部は、ＬＥＤ基板およびＬＥＤ基板に取り付けられた複数のＬＥＤパッケージからなり、ＬＥＤパッケージにＬＥＤチップが実装されている。このＬＥＤ灯具(7)は、ケース(13)のブラケット(13b)が、灯具取付部材(6)の垂直壁(6b)にボルトおよびナットにより固定されている。
【００３５】
灯具取付部材(6)は、両フレーム部材(3)(4)に対して前記鉛直軸線(O)周りに相対的に回転するようになっている。フレーム(2)が開状態にあるときには、灯具取付部材(6)の長手方向は両フレーム部材(3)(4)のアーム(11A)(11B)(12A)(12B)と４５度の角度をなし（図２参照)、フレーム(2)が閉状態にあるときには、灯具取付部材(6)の長手方向は両フレーム部材(3)(4)のアーム(11A)(11B)(12A)(12B)と平行になる(図３参照)。
【００３６】
上フレーム部材(3)の基部(8)内の下端部には、水平壁部（図示略）が固定状に設けられており、この水平壁部における前記鉛直軸線(O)上に、めねじ孔（図示略）が形成されている。また、灯具取付部材(6)の水平壁(6a)における前記鉛直軸線(O)上に貫通孔（図示略）が形成され、下フレーム部材(4)の基部(9)内に水平壁部（図示略）が固定状に設けられ、この水平壁部における前記鉛直軸線(O)上に貫通孔（図示略）が形成されている。そして、おねじ部材(14)が、これらの貫通孔に下方から通されて、めねじ孔にねじ嵌められることにより、フレーム(2)の両フレーム部材(3)(4)および灯具取付部材(6)が解除自在に固定されている。おねじ部材(14)には操作用頭部(14a)が設けられており、操作用頭部(14a)は、灯具取付部材(6)の垂直壁(6b)に形成された貫通孔(15)内に位置している。
【００３７】
図４および図５に示すように、芝生面損傷防止具(16)は、支持脚(5)の下端部に取り付けられている取付基体(17)と、取付基体(17)に下方突出状に取り付けられている１つの差込ピン(18)とを備えている。差込ピン(18)は、尖った先端部(180)を有しており、芝生面(GL)に差し込まれるようになっている。
【００３８】
取付基体(17)は、支持脚(5)の下端部に下方から嵌め入れられる円柱状の嵌入部(17a)と、嵌入部(17a)の下端部から径方向外方に突出しかつ支持脚(5)の下端面に当接させられる円環状のフランジ部(17b)とを備えている。
嵌入部(17a)には、上下２つの水平な貫通孔(171)があけられている。一方、これらの貫通孔(171)に合致するように、支持脚(5)の下端部に一直径方向の両側に位置する２つの貫通孔（図示略）が上下に所定間隔をおいて２組あけられている。そして、嵌入部(17a)の貫通孔(171)および支持脚(5)の貫通孔に通したボルト(19)およびナット(20)（固定手段）により、取付基体(17)が支持脚(5)の下端部に解除可能に固定されている。
フランジ部(17b)の外径は、支持脚(5)の下端部の外径とほぼ同じかまたはそれよりも幾分大きいものとなされており、フランジ部(17b)の上面によって支持脚(5)の下端面が覆われている。
この取付基体(16)は、例えば、ステンレス鋼、鉄、アルミニウム等の金属によって形成される他、ＡＢＳ樹脂等の硬質樹脂によって形成されてもよい。
【００３９】
差込ピン(18)は、１本の垂線(P)において互いに交差する２つの垂直壁部(181)(182)を有しており、その交差角度は９０°となされている。つまり、この実施形態の差込ピン(18)は、Ｌ形の横断面を有するものとなされている。ただし、交差角度は９０°よりも小さくまたは大きくてもよい。２つの垂直壁部(181)(182)は、同一の幅を有している。
各垂直壁部(181)(182)の先端縁(181a)(182a)は、前記垂線(P)から斜め上方にのびる直線状の傾斜縁となされており、それによって差込ピン(18)の先端部(180)が尖らされている。各垂直壁部(181)(182)の先端縁(181a)(182a)の傾斜角度は、４５°以下であるのが好ましく、より好ましくは、差込ピンの強度等も考慮して、１０〜４５°（さらに好ましくは、１０〜３０°）となされる。
差込ピン(18)の横断面の外接円(C)は、支持脚(5)の下端部の横断面の外形輪郭よりも小さいものであって、支持脚(5)の下端部の長さ方向、すなわち垂直方向より見て同外形輪郭の内側に同心状に配置されている（図４，５参照）。そのため、垂直方向荷重が支持脚(5)の下端部から差込ピン(18)に伝わりやすく、芝生面(GL)への差込ピン(18)の差込が容易となる。
差込ピンの横断面の外接円は、可能な範囲で大きくした方が、設置後の風圧等による横方向からの外力により変形・破損しない程度の強度を確保できる点で好ましい。一方、差込ピンの横断面の断面積は、なるべく小さくする方が、差込ピンを差し込む際、あるいは引き抜く際の芝生面の抉れや剥ぎ取りといったダメージが、根切りが適正に行われることにより軽減され、また、芝生面のエアレーション効果が得られる点で好ましい。これらの条件を同時に満たしうる差込ピンとしては、図示のような横断面Ｌ形の差込ピン(18)の他、例えば、２つの垂直壁部が鋭角で交差した横断面Ｖ形の差込ピン、３つの垂直壁部が交差した横断面Ｙ形の差込ピン、４つの垂直壁部が交差した横断面Ｘ形の差込ピンなどが挙げられる。
【００４０】
取付基体(17)への差込ピン(18)の取付手段は、特に限定されないが、例えば、差込ピン(18)の上部を取付基体(17)の嵌入部(17a)の下部に形成した有底孔（図示略）に差し込んで溶接や接着により両者(17)(18)を接合一体化する方法や、インサート成形等が挙げられる。
【００４１】
上記の天然芝育成用照明装置(1)が、例えばゴルフ場の芝生面(GL)に一時的に設置されて、ＬＥＤ灯具(7)から人工光が芝生面(GL)に向けて一定時間照射されることにより、天然芝の育成が促進される。
芝生面(GL)に照明装置(1)を設置する場合、まず、照明装置(1)を、フレーム(2)閉状態（図３参照）にして、芝生面(GL)と接触しないように持ち上げた状態で、芝生面(GL)の所定箇所まで運搬する。次いで、照明装置(1)を、フレーム(2)開状態（図２参照）に移行させてから、芝生面(GL)の上に置き、さらに下向きに力を加えていくと、支持脚(5)の下端部に設けられた芝生面損傷防止具(16)の差込ピン(18)が芝生面(GL)に差し込まれ、それによって照明装置(1)の設置が完了する（図１参照）。この設置状態において、照明装置(1)の荷重は、断面積が大きい支持脚(5)の下端部ではなく、断面積が小さく先端部(180)が尖っている芝生面損傷防止具(16)の差込ピン(18)を通して、芝生面(GL)に伝わるため、芝生面(GL)に損傷を及ぼさない。
人工光の照射後、照明装置(1)を芝生面(GL)から撤去する場合、その場で照明装置(1)を垂直方向に持ち上げると、芝生面損傷防止具(16)の差込ピン(18)が芝生面(GL)から抜けて、芝生面(GL)から離れる。その後、照明装置(1)を、再びフレーム(2)閉状態に移行させてから、運搬し撤去すればよい。
【００４２】
＜第２の実施形態＞
図６は、この発明の第２の実施形態に係る天然芝育成用照明装置の全体構成を示しており、図７は同装置における支持脚の下端部の詳細を示しており、図８は支持脚の下端部に設けられた芝生面損傷防止具の構成部品を示している。
【００４３】
図６に示す天然芝育成用照明装置(10)において、各支持脚(50)は伸縮自在となされている。これらの支持脚(50)を伸縮させて長さを変更することにより、芝生面(GL)の状態や環境条件等に合わせて、ＬＥＤ灯具(7)から芝生面(GL)までの距離を変更調整することができる。
【００４４】
また、図７に示すように、第２の実施形態の天然芝育成用照明装置(10)では、支持脚(50)の下端部に設けられた芝生面損傷防止具(21)の差込ピン(23)の下方突出長さが可変となされている。より詳しく言うと、芝生面損傷防止具(21)の取付基体(22)に、その上下両面に開口した垂直な差込ピン挿通孔(221)が形成されているとともに、差込ピン挿入孔(221)に挿通された差込ピン(23)を任意の長さ位置で取付基体(22)に解除可能に固定しうる固定手段が設けられている。
さらに、第２の実施形態の芝生面損傷防止具(21)には、差込ピン(23)を芝生面(GL)に差し込む際に踏み付け荷重を加えるためのステップ(24)が、取付基体(22)と一体に設けられている。
【００４５】
取付基体(22)は、第１の実施形態の取付基体(17)と基本構造が同一であって、支持脚(5)の下端部に下方から嵌め入れられる円柱状の嵌入部(22a)と、嵌入部(22a)の下端部から径方向外方に突出しかつ支持脚(5)の下端面に当接させられる環状のフランジ部(22b)とを備えている。嵌入部(22a)に上下２つの水平な貫通孔(222)があけられており、これらの貫通孔(222)に合致するように、支持脚(50)の下端部に一直径方向の両側に位置する２つの貫通孔(501)が上下に所定間隔をおいて２組あけられている点も、取付基体(17)と同様である。差込ピン挿通孔(221)は、横断面Ｌ形であって、その両端が嵌入部(22)の上下面に開口させられている。フランジ部(22b)は、その一側部分（図７，９の右側部分）は嵌入部(22a)の周面に沿うように円弧状となされているが、その他側部分（図７，９の左側部分）は平面より見てコ字状に大きく張り出すように形成されている。
【００４６】
差込ピン(23)も、第１の実施形態の差込ピン(18)と基本構造が同一であって、１本の垂線(P)において互いに交差する２つの垂直壁部(231)(232)を有しており、また、その交差角度は９０°であって、Ｌ形の横断面を有している。各垂直壁部(231)(232)の先端縁(231a)(232a)は、前記垂線(P)から斜め上方にのびる直線状の傾斜縁となされており、差込ピン(23)の先端部(230)が尖らされている。差込ピン(23)の横断面の外接円(C)は、支持脚(50)の下端部の横断面の外形輪郭よりも小さいものであって、支持脚の下端部の長さ方向、すなわち垂直方向より見て同外形輪郭の内側に同心状に配置されている。差込ピン(23)の一方の垂直壁部(232)には、３つ以上（ここでは６つ）の貫通孔(232b)が上下方向に所定ピッチで並んであけられている。貫通孔(232b)のピッチは、取付基体(22)の嵌入部(22a)にあけられた上下２つの貫通孔(222)のピッチと一致させられている。
【００４７】
ステップ(24)は、垂直壁部(241)と、垂直壁部(241)の上端縁から水平方向にのびる水平壁部(242)とを備えた倒立Ｌ形のものであって、垂直壁部(241)の下端縁が取付基体(22)におけるフランジ部(22b)の張り出し部分の上面に溶接等によって接合されることにより、取付基体(22)と一体化されている。
ステップ(24)の垂直壁部(24a)と、取付基体(22)の嵌入部(22a)との間には、支持脚(50)の下端部の一側部分が介在しうるように所定の隙間があけられている。
垂直壁部(24a)には、取付基体(22)の嵌入部(22a)の２つの貫通孔(222)および支持脚(50)の下端部の上下２組の貫通孔(501)に合致するように、上下２つの貫通孔(241)があけられている。そして、垂直壁部(24a)の貫通孔(241)、嵌入部(22a)の貫通孔(222)、および支持脚(50)の貫通孔(501)に通したボルト(25)およびナット(26)（固定手段）により、取付基体(22)がステップ(24)とともに支持脚(50)の下端部に解除可能に固定されている。
ステップ(24)の水平壁部(24b)は、垂直壁部(24a)の上端縁から取付基体(22)の嵌入部(22a)と反対方向にのびている。水平壁部(24b)の先端部分は、平面より見て半円弧状となされている。この水平壁部(24b)が、差込ピン(23)を芝生面(GL)に差し込む際に作業者の足を乗せて踏み付け荷重を加えるための踏み付け部となされる。
水平壁部(24b)には、ペグ挿通孔(242)が形成されている。ペグ挿通孔(242)は、左右方向に長い楕円形である。天然芝育成用照明装置(10)が芝生面(GL)に設置されて、支持脚(50)の下端部に設けられた芝生面損傷防止具(21)の差込ピン(23)が芝生面(GL)に差し込まれた状態において、ペグ(27)を、ステップ(24)のペグ挿通孔(242)に挿通させてから、芝生面(GL)に打ち込むことにより、照明装置(10)の設置状態がより安定したものとなる。したがって、悪天候時等において、風圧により照明装置(10)が傾いたり倒れたりするのが回避され、安全性が向上する。
【００４８】
なお、上記第２の実施形態では、取付基体(22)の嵌入部(22a)とフランジ部(22b)とが一体のものとなされていたが、取付基体を、円柱状の嵌入部材と、板片状のフランジ部材とで構成してもよい。
その場合、嵌入部材およびフランジ部材に差込ピン挿通孔を互いに合致するように形成しておく。また、フランジ部材の上面の一側部に、ステップの垂直壁部の下端縁を接合して一体化しておく。
そして、例えば、嵌入部材を支持脚の下端部に嵌め入れてビス等で仮止めしておいてから、嵌入部材の下面にフランジ部材の上面を重ね合わせて溶接等により接合することで一体の取付基体となし、次いで、取付基体の差込ピン挿通孔に差込ピンを挿通させた後、ボルトおよびナットを用いて、ステップ付き取付基体および差込ピンを支持脚の下端部に締付固定すればよい。
【実施例】
【００４９】
次に、この発明の具体的実施例について、図１０〜図１４を参照しながら説明する。
【００５０】
＜差込ピンの形状の検証＞
図１０に示すように、差込ピンの形状が異なる５種類の芝生面損傷防止具を用意し、第１の実施形態と同一構造を有する天然芝育成用照明装置の支持脚(A)の下端部に取り付けた。図１０(1-a)(2-a)(3-a)(4-a)(5-a)は、５種類の芝生面損傷防止具の正面図であって、図中の数字は矢印で示した部分の寸法（単位：ｍｍ）を表している。図１０(1-b)(2-b)(3-b)(4-b)(5-b)は、図１０(1-a)(2-a)(3-a)(4-a)(5-a)の芝生面損傷防止具の水平断面図であって、上側の数値は差込ピンの横断面積を表しており、下側の数値は差込ピンの横断面の外接円(C)の直径（単位：ｍｍ）を表している。
図１０(1-a)(1-b)に示す芝生面損傷防止具(B1)（実施例１）は、実質的に第１の実施形態の芝生面損傷防止具(16)と同一構造のものであって、横断面Ｌ形の差込ピン(B10)を有しており、２つの垂直壁部の先端縁が直線状の傾斜縁となされている。差込ピン(B10)の横断面の外接円(C)は、支持脚(A)の外径よりも小さくなされている。
図１０(2-a)(2-b)に示す芝生面損傷防止具(B2)（実施例２）は、図１０(1-a)(1-b)の芝生面損傷防止具(B1)と実質的に同一の構造であるが、差込ピン(B20)の横断面の外接円(C)が、支持脚(A)の外径よりも大きくなされている。
図１０(3-a)(3-b)に示す芝生面損傷防止具(B3)（実施例３）は、横断面Ｘ形の差込ピン(B30)を有しており、４つの垂直壁部の先端縁が傾斜縁となされている。差込ピン(B30)の横断面の外接円(C)は、支持脚(A)の外径よりも小さくなされている。
図１０(4-a)(4-b)に示す芝生面損傷防止具(B4)（実施例４）は、横断面円形の差込ピン(B40)を有しており、その先端部が円錐状となされている。差込ピン(B40)の横断面の外接円(C)は、支持脚(A)の外径よりも小さくなされている。
図１０(5-a)(5-b)に示す芝生面損傷防止具(B5)（実施例５）は、図１０(1-a)(1-b)の芝生面損傷防止具(B1)と実質的に同一の構造であるが、差込ピン(B20)の２つの垂直壁部の傾斜した先端縁にＲが付けられて凹弧状となされている。
そして、上記実施例１〜５の芝生面損傷防止具(B1)〜(B5)について、差込ピンの芝生面への差込初期の地面抵抗、差込途中の地面抵抗、差込時の力の伝わり方、差込時の芝生面へのダメージ、装置設置後の芝生面への影響、差込ピンの製造・加工の容易性を検証し、評価を行った。結果を以下の表１にまとめて示す。なお、表１では、結果の良好なものから数字の大きい順に５段階で相対評価するとともに、結果に応じて◎、〇、△、×を付けた。
【００５１】
【表１】
2018183120.tif 000003
【００５２】
表１の結果からみて、まず、「差込初期の地面抵抗」については、差込ピンの横幅に対する先端部（斜めの部分）の高さの比率が相対的に低く、かつ差込ピンの先端部が鋭利であるもの（実施例１，３，５）が、芝生面に差し込みやすいと言える。
「差込途中の地面抵抗」については、差込ピンの断面積が小さく、かつ差込ピンの横断面形状が単純であるもの（実施例１，５）が、芝生面への差込が容易となる。
「差込時の力の伝わり方」に関しては、差込ピンの横断面の外接円が支持脚の横断面の外形輪郭よりも小さいもの（実施例１，３，５）が、力が伝わりやすく、抵抗も少ない。
「差込時の芝生面へのダメージ」については、差込ピンの形状が芝生面を切り裂いて進めるようなもの（実施例１，５）が、結果的に与えるダメージが少ない。
「設置後の芝生面への影響」についても、差込ピンの断面積が小さく、かつ差込ピンの横断面形状が単純であるもの（実施例１，５）が、芝生面に与える損傷が少なく、また、地中にスムーズに突き刺さることによって芝の根にダメージを与えることなく根切りが適切に行われ、さらにエアレーション効果も期待できるので、芝の育成により良い効果が得られる。
「差込ピンの製造・加工の容易性」については、差込ピンの断面積の形状および垂直壁部の先端縁の形状が単純であるもの（実施例１）が、作りやすく、コストが抑えられる。
以上を総合すると、実施例１の芝生面損傷防止具(B1)が、最も高い評価を得ており、次いで、実施例５の芝生面損傷防止具(B5)となった。
【００５３】
次に、実施例１と同一構造の差込ピンを備えた芝生面損傷防止具について、差込ピンの先端縁の傾斜角度、および差込ピンの断面積をそれぞれ変異点とした場合の、芝生面への差込の容易性（差込に必要な力）を評価した。
【００５４】
まず、基準サンプルとして、図１１（ａ）に示す差込ピン(S4)を備えた芝生面損傷防止具を用意した。この差込ピン(S4)全体を芝生面(GL)に差し込むのに必要な力を「Ｆ４」とする。
図１１（ａ）において、黒の三角の付いたＡ、Ｂ、Ｃ、Ｄ、Ｅ、ＧＬは、差込ピン(S4)が芝生面に差し込まれていく過程での芝生面のレベル（差込ピン(4)が芝生面に差し込まれた深さ）を順に示している。図１１（ｂ）は、Ａ、Ｂ、Ｃそれぞれのレベルにおける差込ピン(S4)の横断面を示している。なお、Ｄ、Ｅ、ＧＬのレベルにおける差込ピン(S4)の横断面は、Ｃのレベルと同一であるので、省略した。
図１１（ｃ）の左端の図は、ＡからＧＬまでのレベルにおける差込ピン(S4)の横断面の変移を示したものである。これに基づき、全てのレベルにおける差込ピン(S4)の断面積の合計を算出すると、全面積は１１３８．１ｍｍ２であった（図１１（ｃ）の左から２番目の図参照）。また、差込ピン(4)のうち先端から垂直壁部の先端縁の上端までの差込斜め部の面積は１８７．８ｍｍ２であった（図１１（ｃ）の右から２番目の図参照）。そして、全面積１１３８．１ｍｍ２に対する面積の相対評価値を算出すると、７３０．８ｍｍ２であった。面積の相対評価値における差込ピン(S4)のレベル（差込深さ）は、図１１（ａ）および図１１（ｃ）（右端の図）に２点鎖線で示した通りである。
さらに、上記面積に基づいて、ＡからＧＬまでのレベルにおける差込ピン(S4)の差込部分の体積を算出すると、全体積が２８３２ｍｍ３、差込斜め部の体積が３３６ｍｍ３であり、全体積に対する体積の相対評価値が１７６２ｍｍ３であった。
【００５５】
＜差込ピンの先端縁の傾斜角度を変異点とした場合の差込性評価＞
図１２(1-a)〜(6-a)に示すように、図１１（ａ）に示した基準サンプルの差込ピン(S4)を含めて、差込ピンの先端縁の傾斜角度が異なる６種類の芝生面損傷防止具を用意した。図１２(1-a)〜(6-a)の差込ピン(S1)〜(S6)の先端縁の傾斜角度は、順次１１．３１°（実施例６）、２１．８°(実施例７)、３０°(実施例８)、４５°(実施例９)、６０°(実施例１０)、９０°(実施例１１)とした。
図１２(1-b)〜(6-b)は、図１２(1-a)〜(6-a)に示す実施例６〜１１の差込ピン(S1)〜(S6)について、図１１と同じ設定で芝生面(GL)に差し込んだときのＡからＧＬまでのレベルにおける横断面の変移を示したものである。これらに基づいて、実施例６〜１１の差込ピン(S1)〜(S6)の全面積（全体積）、差込斜め部面積（差込斜め部体積）、および差込斜め部面積（差込斜め部体積）の比率を算出した。算出結果を以下の表２に示す。
【００５６】
【表２】
2018183120.tif 000004
【００５７】
ここで、実施例６〜１１の差込ピン(S1)〜(S6)全体を芝生面(GL)に差し込むのに必要な力「Ｆ１」〜「Ｆ６」は、それぞれ値が異なっている。
そして、実施例６の差込ピン(S1)全体を芝生面(GL)に差し込むのに必要な力「Ｆ１」と同じ力で、実施例７〜１１の差込ピン(S2)〜(S6)を芝生面(GL)に差し込むと、図１２中に示した相対評価値のレベルで止まってしまう。
以上の結果からみて、差込斜め部面積（体積）が全面積（体積）に占める割合の高い差込ピンほど、芝生面に差し込みやすいといえる。また、差込ピンの差込域は、先端縁の傾斜角度４５°を境にして、それより傾斜角度が大きくなると鈍化する傾向がみられた。したがって、差込ピンの先端縁の傾斜角度は４５°以下であるのが好ましい。
【００５８】
＜差込ピンの断面積を変異点とした場合の差込性評価＞
図１３(1-a)〜(3-a)に示すように、差込ピンの先端縁の傾斜角度は３０°と共通しているが、差込ピンの断面積が異なる３種類の芝生面損傷防止具を用意した。図１３(1-a)〜(3-a)の差込ピン(S7)〜(S9)の垂直壁部の横幅は、順次１０ｍｍ（実施例１２）、１４ｍｍ(実施例１３)、２０ｍｍ(実施例１４)とした。
図１３(1-b)〜(3-b)は、図１３(1-a)〜(3-a)に示す実施例１２〜１４の差込ピン(S7)〜(S9)について、図１１と同じ設定で芝生面(GL)に差し込んだときのＡからＧＬまでのレベルにおける横断面の変移を示したものである。これらに基づいて、実施例１２〜１４の差込ピン(S7)〜(S9)の全面積（全体積）、差込斜め部面積（差込斜め部体積）、および差込斜め部面積（差込斜め部体積）の比率を算出した。算出結果を以下の表３に示す。
【００５９】
【表３】
2018183120.tif 000005
【００６０】
実施例１２〜１４の差込ピン(S7)〜(S9)全体を芝生面(GL)に差し込むのに必要な力「Ｆ１１」〜「Ｆ１３」は、それぞれ値が異なっている。
そして、実施例１２の差込ピン(S7)全体を芝生面(GL)に差し込むのに必要な力「Ｆ１１」と同じ力で、実施例１３，１４の差込ピン(S8)(S9)を芝生面(GL)に差し込むと、図１３中に示した相対評価値のレベルで止まってしまう。
【００６１】
さらに、図１４(1-a)〜(3-a)に示すように、差込ピンの先端縁の傾斜角度は６０°と共通しているが、差込ピンの断面積が異なる３種類の芝生面損傷防止具を用意した。図１４(1-a)〜(3-a)の差込ピン(S10)〜(S12)の垂直壁部の横幅は、順次１０ｍｍ（実施例１５）、１４ｍｍ(実施例１６)、２０ｍｍ(実施例１７)とした。
図１４(1-b)〜(3-b)は、図１４(1-a)〜(3-a)に示す実施例１５〜１７の差込ピン(S10)〜(S12)について、図１１と実質的に同じ設定で芝生面(GL)に差し込んだときのＦからＩまでのレベルにおける横断面の変移を示したものである。これらに基づいて、実施例１５〜１７の差込ピン(S10)〜(S12)の全面積（全体積）、差込斜め部面積（差込斜め部体積）、および差込斜め部面積（差込斜め部体積）の比率を算出した。算出結果を以下の表４に示す。
【００６２】
【表４】
2018183120.tif 000006
【００６３】
実施例１５〜１７の差込ピン(S10)〜(S12)全体を芝生面(GL)に差し込むのに必要な力「Ｆ２１」〜「Ｆ２３」は、それぞれ値が異なっている。
そして、実施例１５の差込ピン(S10)全体を芝生面(GL)に差し込むのに必要な力「Ｆ２１」と同じ力で、実施例１６，１７の差込ピン(S11)(S12)を芝生面(GL)に差し込むと、図１４中に示した相対評価値のレベルで止まってしまう。
【００６４】
図１３および図１４に示す結果からみて、差込ピンの断面積が小さい程、芝生面への差込に必要な力は小さくて済み、差込作業が容易になることが判った。
【産業上の利用可能性】
【００６５】
この発明は、例えば、天然芝が敷設されたゴルフ場、野球場、サッカー場等の植生面に一時的に設置される天然芝育成用照明装置、散水機、運動用具等の植生面設置機器において、同機器に備えられた支持脚から受ける荷重による植生面の損傷を防止するための手段として好適に使用することができる。
【符号の説明】
【００６６】
(1)(10)：天然芝育成用照明装置（植生面設置機器）
(5)(50)：支持脚
(16)(21)：芝生面損傷防止具（植生面損傷防止具）
(17)(22)：取付基体
(221)：差込ピン挿通孔
(18)(23)：差込ピン
(P)：垂線
(181)(182)(231)(232)：垂直壁部
(181)(182)(231)(232)：垂直壁部の先端縁
(C)：差込ピンの横断面の外接円
(24)：ステップ
(242)：ペグ挿通孔
(GL)：芝生面（植生面）
【図１】
2018183120.tif 000007
【図２】
2018183120.tif 000008
【図３】
2018183120.tif 000009
【図４】
2018183120.tif 000010
【図５】
2018183120.tif 000011
【図６】
2018183120.tif 000012
【図７】
2018183120.tif 000013
【図８】
2018183120.tif 000014
【図９】
2018183120.tif 000015
【図１０】
2018183120.tif 000016
【図１１】
2018183120.tif 000017
【図１２】
2018183120.tif 000018
【図１３】
2018183120.tif 000019
【図１４】
2018183120.tif 000020